(57)【要約】      （修正有）【課題】日常的に収納物を出納する作業は他の収納家具と同様に扉の開閉、または、引き出しの出し入れによって行う事が可能であり、ひとたび火災が発生した時には、扉または引き出しが閉じた状態であることを条件として内部に炎が侵入することを阻み、収納物を保護する。【解決手段】収納家具を、不燃化、または難燃化した材料で構成し、構成部材の各接合部に熱膨張剤を充填し、開口部の扉収納部の内向面に外熱膨張部Ｂを設け、前板収納部の内向面に熱膨張部Ａを設け、扉８、前板の外周に熱膨張部Ｂを設けた。【選択図】図１１
2011062380.tif 000002
【特許請求の範囲】
【請求項１】
扉、若しくは、引き出し、又はその両方を備えた収納家具において、前記収納家具の扉、前板、を含む外面を構成する主な部材に不燃処理、又は難燃処理を施した木材を使用し、本体を構成する部材同士の接合手段として用いるダボに不燃処理、又は難燃処理を施し、各構成部材の接合部の少なくとも片方に熱膨張部を設け、本体の開口部の扉収納部に熱膨張部を設け、引き出しの前板が納まる前板収納部に熱膨張部を設けることを特徴とする収納家具。
【請求項２】
前記収納家具の扉、前板、を含む外面を構成する主な部材を、不燃処理、又は難燃処理を施した板材を複数接合して形成する場合に、板材同士の接合手段として用いるダボに不燃処理、又は難燃処理を施し、板材同士の接合面の少なくとも片方の面に熱膨張部を設けることを特徴とする収納家具。
【請求項３】
前記収納家具の扉、前板、を含む外面を構成する主な部材を、不燃処理、又は難燃処理を施した板材を複数接合して形成する場合に、板材同士の接合手段として本ざね加工を施し、板材同士の接合面の少なくとも片方の面に熱膨張部を設けることを特徴とする請求項１〜請求項２のいずれかに記載の収納家具。
【請求項４】
前記収納家具の本体の、開口部をふさぐ扉の外周に熱膨張部を設け、引き出しの前板の外周に熱膨張部を設けることを特徴とする請求項１〜請求項３のいずれかに記載の収納家具。
【請求項５】
前記収納家具の本体の開口部をふさぐ手段として引き戸を採用し、前記引き戸の裏面に熱膨張部を設け、上下面に熱膨張部を設け、前記本体の戸当たり面と接する面に熱膨張部を設け、更に、前記引き戸を閉じた状態で重なる相手部材の面に熱膨張部を設けることを特徴とする請求項１〜請求項３のいずれかに記載の収納家具。
【請求項６】
前記収納家具の本体を構成する主な部材に不燃処理、又は難燃処理を施したパーチクルボード、積層ベニヤ、フラッシュパネル等を使用することを特徴とする請求項１〜請求項５のいずれかに記載の収納家具。
【発明の詳細な説明】
【技術分野】
【０００１】
本発明は、主に内部に収納部を有する収納家具に関する。詳しくは、収納物を火災から保護する収納家具に関するものである。
【背景技術】
【０００２】
従来より、建屋内において内装工事を施す場合、不燃素材や難燃素材の使用が推奨されており、火災発生を抑止する取り組みがなされているが、その組成の殆どが無機質物によるもので日常生活空間にあっては使用者に落ち着きを与える条件を満たすものではない。しかし、使用者の嗜好により木製の内装材は従来から存在しているが、防炎効果が殆ど期待できず、もしもの場合における不安が常に存在していた。
【０００３】
上記の課題を解決する為に、可燃性である木製材料に難燃処理を施して内装材として使用し、火災発生時の延焼を遅延させ避難を容易に行う。とする技術を施したものがあった（特許文献１参照）。
【０００４】
以下、図１３により従来の内装材として使用する準不燃木質ボードについて説明する。準不燃木質ボード１０１は、小径丸太１０２を切削したストランド１０３に、ポリエチレングリコール水溶液を含有する熱可塑性接着剤及びポリリン酸アンモニウムを含有する難燃剤を混合した混合物を塗布して、板状に成型熱圧したものである。
【先行技術文献】
【特許文献】
【０００５】
【特許文献１】特開２００４−１０６３８７
【発明の概要】
【発明が解決しようとする課題】
【０００６】
しかし、前述の如く木製材料に難燃処理を施して内装材として使用することは大変有意義なことであるが、その室内に設置する家具類が可燃性であれば、火災発生源となる可能性もある。更に、火災発生源とはならずとも、火炎に暴露されれば、速やかに燃焼を開始し、忽ちにして原形を留めない程激しく損傷してしまう。
又、不燃処理や難燃処理を施した木製材料で収納家具を構成することは容易であるが、火炎に暴露されると、部材の接合部や開口部から侵入する火炎により内部の収納物は激しく損傷してしまう。考えられる対策として、収納物を保護する目的で金庫の採用も選択肢のひとつではあるが、日常的に使用するものの収納には不向きである。
【０００７】
本発明は以上のような問題を解決する為になされたもので、本発明における収納家具は、日常的に収納物を出納する作業は他の収納家具と同様に扉の開閉、または、引き出しの出し入れによって行うことが可能であり、なんら変更点はない。しかし、ひとたび火災が発生し、火炎に暴露される状況に到ると本発明における収納家具は、扉、または引き出しが閉じた状態であることを条件として内部に炎が侵入することを阻み、収納物を保護することを目的とするものである。
【課題を解決するための手段】
【０００８】
本発明は、上記目的を達成する為の第１の課題解決手段として、扉、又は、引き出し、又はその両方を備えた収納家具において、前記収納家具の扉、前板、を含む外面を構成する主な部材に不燃処理、又は難燃処理を施した木材を使用し、本体を構成する部材同士の接合手段として用いるダボに不燃処理、又は難燃処理を施し、各構成部材の接合部の少なくとも片方に熱膨張部を設け、本体の開口部の扉収納部に熱膨張部を設け、引き出しの前板が納まる前板収納部に熱膨張部を設ける。
【０００９】
第２の課題解決手段は、前記収納家具の扉、前板、を含む外面を構成する主な部材を、不燃処理、又は難燃処理を施した板材を複数接合して形成する場合に、板材同士の接合手段として用いるダボに不燃処理、又は難燃処理を施し、板材同士の接合面の少なくとも片方の面に熱膨張部を設ける。
【００１０】
第３の課題解決手段は、第１、又は、第２の課題解決手段において、前記収納家具の扉、前板、を含む外面を構成する主な部材を、不燃処理、又は難燃処理を施した板材を複数接合して形成する場合に、板材同士の接合手段として本ざね加工を施し、板材同士の接合面の少なくとも片方の面に熱膨張部を設ける。
【００１１】
第４の課題解決手段は、第1〜第3の課題解決手段のいずれかにおいて、前記収納家具の本体の、開口部をふさぐ扉の外周に熱膨張部を設け、引き出しの前板の外周に熱膨張部を設ける。
【００１２】
第５の課題解決手段は、第1〜第３の課題解決手段のいずれかにおいて、前記収納家具の本体の開口部をふさぐ手段として引き戸を採用し、前記引き戸の裏面に熱膨張部を設け、上下面に熱膨張部を設け、前記本体の戸当たり面と接する面に熱膨張部を設け、更に、前記引き戸を閉じた状態で重なる相手部材の面に熱膨張部を設ける。
【００１３】
第６の課題解決手段は、第1〜第５の課題解決手段のいずれかにおいて、前記収納家具の外面を構成する主な部材に不燃処理、又は難燃処理を施したパーチクルボード、積層ベニヤ、フラッシュパネル等を使用する。
【発明の効果】
【００１４】
本発明は以上に説明したように構成した結果、以下に示すような効果が得られる。
【００１５】
通常、収納家具は、室内に設置して使用者の都合により日常生活の利便性を高める為に活用される必需品であり、多様な品目があり使用形態もまた多様であるが、主に内部に衣服、物品、書類、宝飾品、等生活における身近なものを収納するので、平穏な状態であれば問題はないのであるが、ひとたび、異常事態が発生すればそれらの収納物は危険に晒される事となる。
【００１６】
例えば、室内で火災が発生すると可燃性の物品は忽ちにして類焼を開始し、木製の収納家具においては内部の収納物も共に激しく損傷してしまう。又、金属製の収納家具であっても、火炎は内部に容易に侵入して、収納物を損傷してしまう。
【００１７】
本発明に係る収納家具の近くで火災が発生した場合を想定すると、不燃処理、または難燃処理を施した木製材料によって構成した家具は容易に類焼することが無く、更に、火炎による高温に暴露されると、構成部材の各接合部においては、高温によって生じる隙間を熱膨張部が膨張して速やかに充填し、更に、扉や、引き出し等の可動部における作動の為の隙間をも熱膨張部が膨張して速やかに充填する。
【００１８】
即ち、本発明に係る収納家具は、不燃材を使用した内装の室内であっても火災が発生した場合に、不燃処理や難燃処理を施した木製材料で構成しただけの収納家具で為し得なかった収納物の保護をも可能とする効果を有する。更に、室内に設置する収納家具のすべてに本発明に係る収納家具を採用すれば、例え火災が発生しても類焼の可能性が少なくなることは当然として、収納物の保護にも効果を発揮する。
【図面の簡単な説明】
【００１９】
【図１】本発明の実施形態を示す収納家具の斜視図
【図２】同収納家具に扉を取付け、引き出しを収納した状態を示す斜視図。
【図３】同収納家具の地板と右側板の接合部を示す斜視図。
【図４】同扉のダボによる接合を示す斜視図
【図５】同扉の本ざね加工による接合を示す斜視図
【図６】同収納家具の扉収納部を示す斜視図
【図７】同収納家具の引き戸の裏を示す斜視図
【図８】同収納家具の前板収納部を示す斜視図
【図９】右側板の側面と平行に現れる断面の斜視図
【図１０】前板の表面と平行に現れる断面の斜視図
【図１１】本体に扉を取付けた状態で、天面と平行に現れる断面の斜視図
【図１２】本体に扉を取付けた状態で、天面と平行に現れる断面の斜視図
【図１３】従来の内装材として使用する準不燃木質ボードを示す
【発明を実施するための形態】
【００２０】
以下、図面を参照しながら本発明の実施形態について詳しく説明する。
【００２１】
本発明にかかる収納家具の要部は図１に示すように、本体１を地板２と右側板３と左側板４と棚板５と壁板６と天板７によって構成し、図２に示すように、扉８を取り付け、前面に前板９を有する引き出し１０を収納して成る。以下、詳細を説明する。
【００２２】
以下、第１の実施形態を説明すると、図３は、地板２と右側板３の接合部を示すもので、右側板３の接合面に熱膨張部Ａを形成する為の溝Ａ１を設け、穿孔したダボ孔Ｄ１に接合用のダボＤを挿入して突起を設け、膨張黒鉛と樹脂を混錬したものを充填する前の状態を示す。本体１を構成する部材同士の各接合部も同様に溝Ａ１を設け熱膨張部Ａを形成するのが好ましいが、熱膨張部Ａを形成する接合面は木口に限定するものではなく、例えば、地板２の接合面に当たる平面上に形成しても効果は同じである。また、図１に示すように棚板５と右側板３の接合部のような内部における接合部では、熱膨張部Ａを省略しても問題は無い。
【００２３】
図９は、右側板３の側面と平行に現れる断面の斜視図であるが、他の構成部材との接合面３Ａに形成した溝Ａ１に、膨張黒鉛と樹脂を混錬したもの（以下、熱膨張剤ＡＡ、と称する）を面一となるように平滑に充填、硬化させて形成した熱膨張部Ａを示す。
熱膨張剤ＡＡに用いる樹脂は、例えば、酢酸ビニル系樹脂、またはシリコン系樹脂等が上げられるが、特定するものではなく、高温に暴露されても有害なガスが発生しないものであれば効果は充分である。
または、膨張黒鉛と樹脂を混錬して形成したテープ状のものを貼着して形成しても効果は同じである。
【００２４】
接合用のダボＤは、不燃処理、又は難燃処理を施したものを用いる。材質は限定するものではないが、木製材料を用いる場合では、不燃処理、又は難燃処理を施した材料に形状加工を施しても効果は充分である。または、形状加工したものに不燃処理、又は難燃処理を施しても効果は充分である。
【００２５】
ダボ孔Ｄ１を穿孔した構成部材の接合面に、接着剤を塗布し、ダボ孔Ｄ１に接着剤を注入して、ダボＤを挿入して突起を設け、他の構成部材のダボ孔Ｄ１に接着剤を注入後、前記突起を挿入して構成部材同士の接合を行うが、作業の際の初期強度を高める為に、釘、ビス、ボルト、等を併用しても問題は無い。
【００２６】
また、図６において、本体１の扉収納部８１の内向面８１Ｂに外溝Ｂ１を設け、熱膨張剤ＡＡを面一になるように平滑に充填、硬化させて外熱膨張部Ｂを形成するが、この方法に限定するものではなく、扉８が作動する為に必要な隙間の許容範囲内で膨張黒鉛と樹脂を混錬して形成したテープ状のものを貼着して熱膨張部Ｂを形成しても効果は同じである。その際、外溝Ｂ１の形成は任意である。
【００２７】
更に、図８において、本体１の前板収納部９１の内向面９１Ｂに外溝Ｂ１を設け、熱膨張剤ＡＡを面一になるように平滑に充填、硬化させて外熱膨張部Ｂを形成するが、この方法に限定するものではなく、前板９が作動する為に必要な隙間の許容範囲内で膨張黒鉛と樹脂を混錬して形成したテープ状のものを貼着して熱膨張部Ｂを形成しても効果は同じである。
【００２８】
図１１は、本体１に扉８を取付けた状態で、天面と平行に現れる断面の斜視図であるが、左側板４と壁板６と右側板３の各接合部に設けた熱膨張部Ａの断面を示し、左側板４と右側板３に扉８をたてつけた状態で、扉８が作動する為に設けた隙間と、扉外周８Ｂに設けた熱膨張部Ｂと、各側板の内向面８１Ｂに設けた熱膨張部Ｂの各断面を示す。
【００２９】
更に、図１２は、前記図１１の別の実施例を示す断面の斜視図である。
【００３０】
以上、第１の実施形態によると、本発明に係る収納家具が火炎に暴露されると、本体を構成する部材の各接合部においては、ダボDに不燃処理、又は難燃処理を施しているので火炎の高温でも破損することがなく形態は変化しないが、接合部の温度が高温になると接着剤が効果を失い隙間を生じる。しかし、接合部に設けた熱膨張部Ａが膨張を開始し、隙間を速やかに充填する。更に、本体１の扉収納部８１、及び前板収納部９１等にあっては、高温に暴露されるとそれぞれの内向面８１B、内向面９１Bに設けた熱膨張部Ｂが膨張を開始し、扉８や、前板９が作動する為に設けていた隙間を速やかに充填する。
【００３１】
第２の実施形態を説明すると、図４の如く扉８を、不燃処理、又は難燃処理を施した板材を複数接合して形成する場合は、板材８Ａの接合面において、少なくとも片方に溝Ａ１を設け、熱膨張剤ＡＡを平滑に充填、硬化させて熱膨張部Ａを形成し、ダボ孔Ｄ１を穿孔して接着剤を注入してダボＤを挿入して突起を設け、接着剤を塗布して他の板材に穿孔したダボ孔Ｄ１に接着剤を注入後、前記突起を挿入して板材同士の接合を行い扉８を形成するが、この方法は扉８に限定するものではなく他の構成部材を形成する場合も同様に行うことは充分に可能である。
【００３２】
以上、第２の実施形態によると、第１の実施形態に加えて、各構成部材を形成する板材同士の接合部において、ダボＤに不燃処理、又は難燃処理を施しているので火炎の高温でも破損することがなく形態は変化しないが、接合部の温度が高温になると接着剤が効果を失い隙間を生じる。しかし、接合部に設けた熱膨張部Ａが膨張を開始し、隙間を速やかに充填する。
【００３３】
第３の実施形態を説明すると、図５の如く、前記扉８の板材８Ａの接合面に本ざね加工を施す場合は、凹部８Ａ１の底面に熱膨張部Ａを形成することも可能で、他の構成部材も同様に加工しても効果は同じである。更に、各構成部材における接合形態として横接ぎについて説明したが、この形態に限定するものではなく、例えば框組みを採用しても板材の接合面に熱膨張部Ａを設けていれば効果は同じである。更に詳しく述べるならば、第3の実施形態との併用によっても効果は同じである。
【００３４】
以上、第３の実施形態によると、第２の実施形態の替わりに、各構成部材を形成する板材８Ａ同士の接合部において、不燃処理、又は難燃処理を施した材料に本ざね加工を施しているので火炎の高温でも破損することがなく形態は変化しないが、接合部の温度が高温になると接着剤が効果を失い隙間を生じる。しかし、接合部に設けた熱膨張部Ａが膨張を開始し、隙間を速やかに充填する。
【００３５】
第４の実施形態を説明すると、図６の如く、扉外周８Ｂに外溝Ｂ１を設け、熱膨張剤ＡＡを平滑に充填、硬化させて外熱膨張部Ｂを形成するが、この方法に限定するものではなく、扉８が作動する為に必要な隙間の許容範囲内で膨張黒鉛と樹脂を混錬して形成したテープ状のものを貼着して外熱膨張部Ｂを形成しても効果は同じである。その際、外溝Ｂ１の形成は任意である。
【００３６】
更に、図８の如く、前板外周９Ｂに外溝Ｂ１を設け、熱膨張剤ＡＡを平滑に充填、硬化させて外熱膨張部Ｂを形成するが、この方法に限定するものではなく、前板９が作動する為に必要な隙間の許容範囲内で膨張黒鉛と樹脂を混錬して形成したテープ状のものを貼着して熱膨張部Ｂを形成しても効果は同じである。その際、外溝Ｂ１の形成は任意である。
【００３７】
図１０は、前板９の表面と平行に現れる断面を示すものであるが、外溝Ｂ１に熱膨張剤ＡＡを充填して前板外周９Ｂの面と面一に平滑になるように形成した外熱膨張部Ｂの断面も同時に示す。扉８の表面と平行に現れる断面も同様に現れることを述べておく。
【００３８】
以上、第４の実施形態によると、前記収納家具が火炎に暴露されると、扉外周８Ｂに設けた熱膨張部Ｂが膨張を開始し、扉８が作動する為に設けていた隙間を速やかに充填し、更に、引き出しの前板外周９Ｂに設けた熱膨張部Ｂが膨張を開始し、引き出しの前板９が作動する為に設けていた隙間を速やかに充填する。
【００３９】
第５の実施形態を説明すると、図７は引き戸８３の詳細図であるが、裏面８３Ｂに外溝Ｂ１を設け、前記引き戸８３を閉じた状態で重なる相手部材として他の引き戸８４の面に外溝Ｂ１を設けた状態を示すものであるが、これに限定するものではなく一本引き戸の場合では相手部材が本体前面に形成した前壁であっても効果は同じである。
【００４０】
以上、第５の実施形態によると、前記収納家具が火炎に暴露されると、引き戸８３の外周に設けた熱膨張部Ｂが膨張を開始し、更に、前記引き戸８３が閉じたときに重なる相手部材に向かう面に設けた熱膨張部Ｂが膨張を開始し、前記引き戸８３が作動する為に設けていた隙間を速やかに充填する。
【００４１】
第６の実施形態を説明すると、前記収納家具の外面を構成する主な部材に不燃処理、又は難燃処理を施したパーチクルボード、積層ベニヤ、フラッシュパネル等を使用する。
【００４２】
以上、第６の実施形態によると、使用者の嗜好に応じて、また、目的に応じて採用する材料を選ぶ選択肢が増えるので、多様な製品供給を可能となる。
【００４３】
以上、本実施形態によれば、本発明に係る収納家具が火炎による高温に暴露されても内部の収納物を保護する効果を得られる。
【符号の説明】
【００４４】
１    本体
２    地板
３    右側板
３Ａ  他の構成部材との接合面
４    左側板
５    棚板
６    壁板
７    天板
８    扉
８Ａ  板材
８Ａ１凹部
８Ａ２凸部
８Ｂ  扉外周
８１  扉収納部
８１Ｂ内向面
８２  板材の接合面
８３  引き戸
８３Ｂ裏面
８４  他の引き戸
９    前板
９Ｂ  前板外周
９１  前板収納部
１０  引き出し
Ａ    熱膨張部
ＡＡ  熱膨張剤
Ａ１  溝
Ｂ    外熱膨張部
Ｂ１  外溝
Ｄ    ダボ
Ｄ１  ダボ孔
【図１】
2011062380.tif 000003
【図２】
2011062380.tif 000004
【図３】
2011062380.tif 000005
【図４】
2011062380.tif 000006
【図５】
2011062380.tif 000007
【図６】
2011062380.tif 000008
【図７】
2011062380.tif 000009
【図８】
2011062380.tif 000010
【図９】
2011062380.tif 000011
【図１０】
2011062380.tif 000012
【図１１】
2011062380.tif 000013
【図１２】
2011062380.tif 000014
【図１３】
2011062380.tif 000015